(57)【要約】      （修正有）【課題】ポケットティッシュ又はティッシュペーパーを取出口に向けて押し上げる機能を備えたティッシュボックスにおいて、取出口から抜き取るティッシュにかかる摩擦力を従来よりも軽減し、ティッシュが破れるおそれを軽減したティッシュボックスを提供する。また、外観も楽しめるティッシュボックスを提供する。【解決手段】容器１内のポケットティッシュＰ又はティッシュペーパーＴを取出口４に向けて押し上げる機構を備えたティッシュボックスにおいて、取出口４のある蓋２の裏面に、当該蓋２の裏面とポケットティッシュＰ又はティッシュペーパーＴとの間に介在するスペーサ１２，１２を設けた。【選択図】図２
0003171773.tif 000002
【実用新案登録請求の範囲】
【請求項１】
容器内のポケットティッシュ又はティッシュペーパーを取出口に向けて押し上げる機構を備えたティッシュボックスにおいて、
前記取出口のある蓋の裏面に、当該蓋の裏面と前記ポケットティッシュ又はティッシュペーパーとの間に介在するスペーサを設けた、ティッシュボックス。
【請求項２】
前記スペーサは、前記取出口を挟んで対向するように一対を設けた、請求項１に記載のティッシュボックス。
【請求項３】
請求項１又は２に記載のティッシュボックスにおいて、
当該ティッシュボックスの外面に、模様を表示するカードを収容可能なカードポケットを設けた、ティッシュボックス。
【請求項４】
請求項１，２又は３に記載のティッシュボックスにおいて、
当該ティッシュボックスの外面にシールにより模様を付した、ティッシュボックス。
【請求項５】
容器内のポケットティッシュ又はティッシュペーパーを取出口に向けて押し上げる機構を備えたティッシュボックスの組み立てセットであって、
前記取出口のある蓋の裏面と前記ポケットティッシュ又はティッシュペーパーとの間に介在するスペーサを備えると共に、前記ティッシュボックスと、前記機構を構成するパーツとをセットにした、ティッシュボックスの組み立てセット。
【請求項６】
請求項５に記載の組み立てセットにおいて、
前記ティッシュボックスの外面に模様を表示するカード、を収容可能なカードポケットのパーツを備えた、ティッシュボックス。
【考案の詳細な説明】
【技術分野】
【０００１】
本考案は、ティッシュボックスに係り、特に、ポケットティッシュ又はティッシュペーパーをティッシュの取出口に向けて押し上げる構造を備えたティッシュボックスに関する。
【背景技術】
【０００２】
この種の従来例として、特許文献１では、ポケットティッシュを載せる、おさえ板と、ティッシュ取出口のある上蓋とをゴムで連結し、当該おさえ板と上蓋との間に、ポケットティシュを挟み込む構造を開示している。これによると、ティッシュペーパー（以下適宜「ティッシュ」と略述する）が減るごとに、ゴムの弾性力により、おさえ板がポケットティッシュを上蓋に向けて押し上げる。このため、ティッシュの量が減っても、取出口からティッシュを取り出しやすい。また、新品であるか、途中まで使ったものであるか、又は袋が破れてしまったものであるかに関わらず、ポケットティッシュを束ねてボックスに入れて使用することができる。
【０００３】
しかし、この構造では、ポケットティッシュを補充する際、ゴムの弾性力に抗して、おさえ板と上蓋との間を押し広げ、そうしながら、その広げた間にポケットティッシュを押し込まなければならず、手間がかかる。また、ポケットティッシュが上蓋に直接接触し押し付けられるので、ティッシュペーパーを取出口から取り出すときに、ティッシュにかかる摩擦力が大きくなり、無理に引き出すとティッシュペーパーが破れてしまうおそれが高い。
【０００４】
また、特許文献２では、ティッシュボックスの底面に設けられた紙バネが、当該紙バネの上に置かれたポケットティッシュを取出口に向けて押し上げる構造を開示している。
【０００５】
しかし、この文献では、ポケットティッシュをティッシュボックスの側面から補充するようになっており、紙バネを底面に押し下げながら、できた隙間にポケットティッシュを挿入する必要があり、やはり手間がかかる。また、特許文献１と同様に、ポケットティッシュがボックスの天井に直接接触し押し付けられるので、ティッシュペーパーを取出口から抜くときに、ティッシュにかかる摩擦力が大きくなり、無理に引き抜くとティッシュペーパーが破れてしまうおそれが高い。
【０００６】
また、特許文献３では、ティッシュボックスの底面に設けられた弾性部材が、当該弾性部材の上に置かれたティッシュを取出口に向けて押し上げる構造を開示している。ティッシュを補充する際は、ティッシュボックス上部の蓋を開け、ティッシュを弾性部材の上に重ねればよいので、特許文献１および２に比べ、ティッシュの補充は容易に行うことができると考えられる。
【０００７】
しかし、特許文献１および２と同様に、ティッシュが上蓋に直接接触し押し付けられるので、ティッシュペーパーを取出口から抜くときに、ティッシュにかかる摩擦力が大きくなり、無理に引き抜くとティッシュペーパーが破れてしまうおそれが高い。
【０００８】
また、特許文献４では、収納ケースの内部において、ポケットティッシュを載置する載置板を収納ケースの内壁に輪ゴムで吊った構造を開示している。ティッシュを補充する際は、収納ケース上部の開口からポケットティッシュを押し込んで載置板の上に重ねればよいので、特許文献１および２に比べ、ティッシュの補充は容易に行うことができると考えられる。
【０００９】
しかし、特許文献１乃至３と同様に、ポケットティッシュが上蓋に直接接触し押し付けられるので、ティッシュペーパーを取出口から抜くときに、ティッシュにかかる摩擦力が大きくなり、無理に引き抜くとティッシュペーパーが破れてしまうおそれが高い。また、収納ケースの内壁に載置板を吊るにあたり、内壁にゴムを止めるための孔およびスリットを４ヶ所加工しなければならない。
【００１０】
また、特許文献１乃至４に開示された各ティッシュボックスは、いずれも外観に工夫が無く、見て楽しめる外観にはなっていない。
【先行技術文献】
【特許文献】
【００１１】
【特許文献１】登録実用新案第３１１９４４２号公報
【特許文献２】登録実用新案第３１５２１０４号公報
【特許文献３】登録実用新案第３０１６６０９号公報
【特許文献４】特開平０８−１４３０７３号公報
【考案の概要】
【考案が解決しようとする課題】
【００１２】
本考案は、かかる従来例の有する不都合を改善し、特に、ポケットティッシュ又はティッシュペーパーを取出口に向けて押し上げる機能を備えたティッシュボックスにおいて、取出口から抜き取るティッシュにかかる摩擦力を従来よりも軽減し、ティッシュが破れるおそれを軽減したティッシュボックスを提供することを課題とする。
【００１３】
また、本考案は、外観も楽しめるティッシュボックスを提供することを課題とする。
【課題を解決するための手段】
【００１４】
上記の課題を解決するため、本考案では、容器内のポケットティッシュ又はティッシュペーパーを取出口に向けて押し上げる機構を備えたティッシュボックスにおいて、取出口のある蓋の裏面に、当該蓋の裏面とポケットティッシュ又はティッシュペーパーとの間に介在するスペーサを設ける、という構成を採っている。
【００１５】
これによると、取出口からティッシュを引き出す際、ティッシュが蓋の裏面によって動きを規制されないため、ティッシュにかかる摩擦力の増大が抑えられ、引き出すティッシュが破れてしまうおそれが従来よりも低減される。
【００１６】
また、ティッシュボックスの外面に、模様を表示するカードを収容可能なカードポケットを設ける。また、ティッシュボックスの外面にシールにより模様を付する。
【考案の効果】
【００１７】
本考案によれば、ポケットティッシュ又はティッシュペーパーを取出口に向けて押し上げる機能を備えたティッシュボックスにおいて、取出口から抜き取るティッシュにかかる摩擦力を従来よりも軽減し、ティッシュが破れるおそれを軽減したティッシュボックスを提供することができる。
【００１８】
また、本考案によれば、外観も楽しめるティッシュボックスを提供することができる。
【図面の簡単な説明】
【００１９】
【図１】本考案の第１実施形態によるティッシュボックスの外観を示す斜視図。
【図２】図１に示すティッシュボックスのポケットティッシュ押し上げ機構の構造を示す構成図。
【図３】第１実施形態の変形例を示す構成図。
【図４】本考案の第２実施形態によるティッシュボックスの外観を示す斜視図。
【図５】図４に示すティッシュボックスのティッシュ押し上げ機構の構造を示す構成図。
【図６】第１実施形態および第２実施形態に示したスペーサーの変形例を示す構成図。
【考案を実施するための形態】
【００２０】
［第１実施形態］
【００２１】
以下、本考案の第１実施形態を図面を参照して説明する。第１実施形態のティッシュボックスの外観を図１に示す。
【００２２】
ティッシュボックス１０は、複数のポケットティッシュＰを収容可能な容器１と、この容器１の上部を覆う蓋２とを備えている。蓋２は、蓋ストッパ３を外すことにより、容器１の上部を開閉することができ、蓋ストッパ３を嵌めることにより、蓋２を容器１に固定できるようになっている。蓋２の中央にはポケットティッシュＰから覗いたティッシュＴを引き出すための取出口４が形成されている。
【００２３】
本実施形態において、容器１および蓋２は、透明ないし半透明のポリプロピレン製で、各面が方形に形成されている。容器１のサイズは、内部にポケットティッシュＰを寝かせて入れたとき、ポケットティッシュＰと容器１の四方の内壁との間に隙間が出来る大きさとなっている。容器１の深さは、例えば未使用のポケットティッシュＰを寝かせて７個くらい重ねて収容できる深さとする。容器１の上面は全面が開放されており、その全面を覆うサイズの蓋２によって覆われている。蓋２は、幅と奥行が容器１とほぼ同一の大きさに形成されている。蓋２に形成されたティッシュの取出口４は方形に形成され、その大きさは、ティッシュＴを引き出すのに好適かつティッシュＴを引き出す際にポケットティッシュＰが丸ごと抜け出てしまわないサイズに設定されている。
【００２４】
蓋ストッパ３がある面を正面として、ティッシュボックス１０の正面、背面および両側面には、複数の可愛らしい模様５が付されている。模様５は、ティッシュボックス１０の外面にシールを貼ることにより付されている。シールのデザインや大きさ、夜光等の特性は問わない。
【００２５】
また、容器１の正面、背面および両側面には、カードポケット６が設けられている。カードポケット６には、写真、イラスト等の表示された薄板状のカードを挿入し、ペット、アイドルや子供の写真、キャラクターのイラスト等を容器１に表示できるようになっている。本実施形態では、カードポケット６の部位に方形のクリアシートを貼り付けてカードポケット６を設けている。即ち、クリアシートの底辺とこれに隣接する１つの辺を容器１の外面に貼り付け、残る開放された２辺からカードを挿抜できるようにしている。なお、カードの材質は紙でもよく、写真やポストカードの切り抜き等を用いるとよい。
【００２６】
容器１の内部には、ポケットティッシュを取出口４に押し上げる押圧板７を備えている。容器１の側面上部中央には、この押圧板７をゴムで吊るために、当該ゴムを容器１の外に導く１つのピンホール８と、このピンホール８から引き出したゴムの端部を係止するゴムストッパ９とを備えている。このピンホール８およびゴムストッパ９は、容器１の左右の側面に対称に設けられている。ゴムストッパ９は、ピンホール８を通過できない大きさでゴムを係止できるものであればよい。ゴムストッパ９として可愛いデザインのビーズやピアス等を用いることができる。
【００２７】
図２は、押圧板７によりポケットティッシュＰを取出口４に向けて押し上げる構造を示している。図２（ａ）は、正面から見た状態を示す。図２（ｂ）は左側面から見た状態を示す。図２（ｃ）は、押圧板７を底面から見た状態を示す。なお、右側面は、左側面と対称に現れる。
【００２８】
正面から見て分かるように、押圧板７は、左右の端部にゴム１１，１１を掛けられて容器１の内壁に吊られている。左右のゴム１１，１１は、それぞれ容器１の側面に設けられたピンホールを通じ、容器１の外部でゴムストッパ９に係止されている。本実施形態において、ゴム１１は輪ゴムであり、左側面から見て取れるように、輪ゴム１１は２等辺三角形の形状をなす。２等辺三角形の底辺は押圧板７の底面に沿い、２等辺三角形の頂点は、ゴムストッパ９によって係止される位置となる。
【００２９】
押圧板７の底面の図から分かるように、２本の輪ゴム１１，１１は、押圧板７の対向する２辺に沿ってそれぞれ配置され、押圧板７の角部には、各輪ゴム１１，１１をずれないように保持する切り欠き１３が形成されている。また、押圧板７の底面には、写真やイラスト等の模様１４を表示するとよい。このようにすると、透明ないし半透明の容器１の底面から、押圧板７の裏面に表示された模様を楽しむことができる。
【００３０】
蓋２を開けて、押圧板７の上にポケットティッシュＰを重ねて置き、その後、蓋２を閉めると、蓋２に押されたポケットティッシュＰが押圧板７を押し下げ、輪ゴム１１，１１に張力がかかる。このため、輪ゴム１１，１１の弾性力により押圧板７がポケットティッシュＰの束を蓋２に設けられた取出口４に向けて押し上げる。押圧板７の大きさは、ポケットティッシュＰのサイズより幾分大きく、かつ容器１の四方の内壁に接触しない大きさが好ましい。
【００３１】
ここで、本考案の特徴として、蓋２の裏面と、押圧板７によって押し上げられるポケットティッシュＰとの間に、一対のスペーサ１２，１２を介在させている。このため、ポケットティッシュＰは、蓋２の裏面に直接接触せず、スペーサ１２の高さに応じた空間を保って、蓋２の裏面に対向する。
【００３２】
本実施形態において、一対のスペーサ１２，１２は、板状かつ棒状に形成され、蓋２の裏面からポケットティッシュＰの側に突き出るように固定されている。この一対のスペーサ１２，１２は、ティッシュの取出口４の左右にそれぞれ配置されている。また、一対のスペーサ１２，１２は、その長手方向がポケットティッシュＰの短手方向に沿うように配置されている。ただし、一対のスペーサ１２，１２は、その長手方向がポケットティッシュＰの長手方向に沿うように配置されてもよい。また、スペーサ１２は、長手方向の断面をＬ字状に形成すると、Ｌ字の一方の面を蓋２の裏面に安定的に固定することができ、かつ、Ｌ字の他方の面をスペーサとして用いることができる。
【００３３】
この状態で、取出口４からティッシュＴを抜こうとすると、ティッシュＴおよびポケットティッシュＰの包装が蓋２の裏面によって動きを規制されないため、図２（ａ）に示すように、ティッシュＴを引き抜く動きに応じてポケットティッシュＰの包装が取出口４に向かってふくらむこともでき、ポケットティッシュＰの包装から抜き取られるティッシュＴにかかる摩擦力の増大を抑えることができる。これにより、引き抜くティッシュＴが破れてしまうおそれを従来よりも低減することができる。
【００３４】
以上説明した本実施形態によれば、ポケットティッシュＰを取出口４に向けて押し上げる機能を備えたティッシュボックス１０において、取出口４から抜き取るティッシュＴにかかる摩擦力を従来よりも軽減し、ティッシュＴが破れるおそれを軽減することができる。これにより、便利に使用することができる。また、外観も楽しめるティッシュボックス１０を提供することができ、オシャレに楽しく使用することができる。また、構造が簡単なため輪ゴムが切れたりしても自分で交換することができる。また車内など暗い所では、夜光性の光るシールなどを貼るとすぐわかる。
【００３５】
更に、押圧板７を吊っている各輪ゴム１１，１１を容器１の側面に開けた１つずつのピンホールで係止できるので、従来例で挙げた特許文献４のように、ピンホールやスリットを４ヶ所を加工する必要がない。
【００３６】
［第１実施形態の変形例］
【００３７】
次に、上述した第１実施形態の変形について述べる。第１実施形態では、押圧板７を左右のゴム１１，１１で吊る構成としたが、図２（ｂ）に示したように、ゴム１１，１１を三角形の頂点で指示すると、押圧板７がブランコのように振れて不安定になる場合がある。そこで、図３に示すように、前後左右のゴム１１で押圧板７を四方から吊るように構成してもよい。即ち、第１実施形態の構成に加え、容器１の前後にも２等辺三角形の輪ゴム１１，１１を設ける。容器１の前後の壁面にも、その上部中央にピンホールを開け、左右のピンホールと同じように、この前後のピンホールからゴム１１，１１を容器１の外に引き出し、ゴムストッパ９で係止する。押圧板７の各角部には、図３（ｃ）に示すように２方向から切り欠き１３を形成し、４本の輪ゴム１１を４辺に沿って井桁状に配置する。
【００３８】
このようにすると、第１実施形態と同一の効果に加え、押圧板７がブランコのように振れることなく安定する。ただし、押圧板７を蓋２に向かって押し上げようとする力が強くなるため、ポケットティッシュＰとスペーサ１２との間の圧力が適度となるように、各ゴム１１の張力を調整するとよい。
【００３９】
［第２実施形態］
【００４０】
次に、本考案の第２実施形態を図面を参照して説明する。第２実施形態のティッシュボックス２０の外観を図４に示す。
【００４１】
ティッシュボックス２０は、リフィル用のティッシュペーパーＴの束を収容可能な容器１と、この容器１の上部を覆う蓋２とを備えている。蓋２は、蓋ストッパ３を外すことにより、容器１の上部を開閉することができ、蓋ストッパ３を嵌めることにより、蓋２を容器１に固定できるようになっている。蓋２の中央にはティッシュペーパーＴを引き出すための取出口４が形成されている。
【００４２】
本実施形態において、容器１および蓋２は、透明ないし半透明のポリプロピレンにより形成されている。容器１のサイズは、内部に折り畳まれたティッシュペーパーＴを寝かせて入れて、ティッシュペーパーＴと容器１の四方の内壁との間に隙間が出来る大きさとなっている。容器１の上面は全面が開放されており、その全面を覆うサイズの蓋２によって覆われている。蓋２は、幅と奥行が容器１とほぼ同一の大きさに形成されている。蓋２に形成されたティッシュＴの取出口４は略楕円形に形成され、その大きさは、ティッシュペーパーＴを引き出すのに好適かつ折り畳まれたティッシュペーパーＴの長手方向の幅よりも小さく設定されている。
【００４３】
蓋ストッパ３がある面を正面として、ティッシュボックス２０の上面、正面、背面および両側面には、複数の可愛らしい模様５が付されている。模様５は、ティッシュボックス２０の外面にシールを貼ることにより付されている。シールのデザインや大きさ、夜光等の特性は問わない。
【００４４】
また、容器１の正面、背面および両側面には、カードポケット６が設けられている。カードポケット６には、写真、イラスト等の表示された薄板状のカードを挿入し、ペット、アイドルや子供の写真、キャラクターのイラスト等を容器１に表示できるようになっている。本実施形態では、カードポケット６の部位に方形のクリアシートを貼り付けてカードポケット６を設けている。即ち、クリアシートの底辺とこれに隣接する１つの辺を容器１の外面に貼り付け、残る開放された２辺からカードを挿抜できるようにしている。なお、カードの材質は紙でもよく、写真やポストカードの切り抜き等を用いるとよい。
【００４５】
容器１の内部には、ティッシュペーパーＴを取出口４に押し上げる押圧板７を備えている。容器１の前面と背面には、この押圧板７をゴムで吊るために、当該ゴムを容器１の外に導くピンホール８と、このピンホール８から引き出したゴムの端部を係止するゴムストッパ９とを備えている。このピンホール８およびゴムストッパ９は、容器１の前面と背面とに対称に設けられている。ゴムストッパ９は、ピンホール８を通過できない大きさであり、かつゴムを係止できるものであればよい。ゴムストッパ９として可愛いデザインのビーズやピアス等を用いることができる。
【００４６】
図５は、押圧板７によりティッシュペーパーＴを取出口４に向けて押し上げる構造を示している。図５（ａ）は、正面から見た状態を示す。図５（ｂ）は左側面から見た状態を示す。図５（ｃ）は、押圧板７を底面から見た状態を示す。なお、右側面は、左側面と対称に現れる。
【００４７】
左側面から見て分かるように、押圧板７は、容器１の前面から背面へと掛け渡されたゴム１１の上に配置され、これにより容器１の内壁に吊られている。容器１の前面から背面に掛け渡された左右２ヶ所のゴム１１，１１は、一端を容器１の前面上部に設けられたピンホール８を通じ、容器１の外部でゴムストッパ９に係止され、他端を容器１の背面上部に設けられたピンホール８を通じ、容器１の外部でゴムストッパ９に係止されている。本実施形態において、ゴム１１には、輪ゴムを線状にして用いている。輪ゴムを複数繋いで１本のゴム１１としてもよい。
【００４８】
押圧板７の底面の図から分かるように、２本のゴム１１，１１は、押圧板７の底面を短手方向に沿って配置され、中央より右と左とに１本ずつ配置されている。また、押圧板７の底面には、写真やイラスト等の模様１４を表示するとよい。このようにすると、透明ないし半透明の容器１の底面から、押圧板７の裏面に表示された模様を楽しむことができる。
【００４９】
蓋２を開けて、押圧板７の上にリフィル用のティッシュペーパーＴの束を置き、その後、蓋２を閉めると、蓋２に押されたティッシュペーパーＴが押圧板７を押し下げ、ゴム１１，１１に張力がかかる。このため、ゴム１１，１１の弾性力により押圧板７がティッシュペーパーＴの束を蓋２に設けられた取出口４に向けて押し上げる。押圧板７の大きさは、容器１内で折り畳まれているティッシュペーパーＴのサイズと同一かそれよりも幾分大きく、かつ容器１の四方の内壁に接触しない大きさが好ましい。
【００５０】
ここで、本考案の特徴として、蓋２の裏面と、押圧板７によって押し上げられるティッシュペーパーＴとの間に、一対のスペーサ１２，１２を介在させている。このため、ティッシュペーパーＴは、蓋２の裏面に直接接触せず、スペーサ１２の高さに応じた空間を保って、蓋２の裏面に対向する。
【００５１】
本実施形態において、一対のスペーサ１２，１２は、棒状かつその長手方向の断面をＬ字状に形成され、蓋２の裏面に固定されている。スペーサ１２は、Ｌ字の一方の面を蓋２の裏面に安定的に固定され、かつ、Ｌ字の他方の面をスペーサとして用いるようになっている。この一対のスペーサ１２，１２は、ティッシュＴの取出口４の左右にそれぞれ配置されている。また、一対のスペーサ１２，１２は、その長手方向が折り畳まれたティッシュペーパーＴの短手方向に沿うように配置されている。
【００５２】
この状態で、取出口４からティッシュペーパーＴを引き出そうとすると、当該ティッシュペーパーＴが蓋２の裏面によって動きを規制されないため、図５（ａ）に示すように、ティッシュペーパーＴを引き抜く動きに応じて後続するティッシュペーパーＴが取出口４に向かってふくらむこともでき、引き出されるティッシュペーパーＴにかかる摩擦力の増大が抑えられ、これにより、引き出されるティッシュペーパーＴが破れてしまうおそれを従来よりも低減することができる。
【００５３】
以上に説明した第２実施形態によれば、ティッシュペーパーＴを取出口４に向けて押し上げる機能を備えたティッシュボックス２０において、取出口４から引き出されるティッシュペーパーＴにかかる摩擦力を従来よりも軽減し、ティッシュペーパーＴが破れるおそれを軽減することができる。これにより、便利に使用することができる。また、外観も楽しめるティッシュボックス２０を提供することができ、オシャレに楽しく使用することができる。また、構造が簡単なため輪ゴムが切れたりしても自分で交換することができる。また車内など暗い所では、夜光性の光るシールなどを貼るとすぐわかる。また、補充専用のティッシュペーパーを使用することにより長期に渡って使用することができ、非常に経済的である。
【００５４】
［各実施形態に共通の変形例］
上記各実施形態において、スペーサ１２の形状を２種類紹介したが、さらに幾つかの形状の例を図６に示す。図６（ａ）〜（ｃ）は、スペーサ１２の長手方向を切断した断面形状を示している。図６（ａ）は、第１実施形態において開示した板状の形状とほぼ同じもので、基本的には断面が縦長の長方形をしており、ポケットティッシュＰまたはティッシュペーパーＴに接触する下方の角に面取りが施されている。試作では高さ（断面の長手方向）を８ｍｍとした。図６（ｂ）は、断面を正方形としており、ポケットティッシュＰまたはティッシュペーパーＴに接触する下方の角に面取りが施されている。試作では高さおよび幅を各８ｍｍとした。図６（ｃ）は、断面の上部を方形とし、ポケットティッシュＰまたはティッシュペーパーＴに接触する下部を円弧状に形成している。試作では高さおよび幅を各８ｍｍとした。図６（ｄ）は、スペーサ１２の長手方向における形状の変化を示しており、この図６（ｄ）に示すように、ポケットティッシュＰまたはティッシュペーパーＴと接触する面を波型に形成し、線状に接触しつつ接触面積を減少させてもよい。また、棒状のスペーサ１２は、必ずしも１本の棒で形成する必要はなく、複数の棒を線状に並べて１つのスペーサ１２としてもよい。
【００５５】
また、第１実施形態では、三角形の輪ゴム１１，１１によって押圧板７の左右を吊る構造としたが、これに加えて、図５に示した容器１の前面から背面に掛け渡すゴム１１を１本以上併用し、押圧板７を吊るようにしてもよい。このようにしても、押圧板７がブランコのように振れてしまう不安定を解消することができる。
【００５６】
また、上記各実施形態において、ゴム１１として輪ゴムを用いているが、輪になっていない線状のゴムを用いることも可能である。この場合、図２の例では、ゴム１１，１１の両端部を押圧板７の角部に直接固定し、押圧板７の裏を這うゴムを省略すればよい。また、線状の弾性体であれば、ゴム以外の例えば線状のスプリング等を用いることも可能である。
【００５７】
また、以上は完成されたティッシュボックス１０，２０について説明をしたが、これらのティッシュボックス１０，２０の組み立てに必要な部品をセットにして、組み立てセットとして提供してもよい。この場合例えば、容器１、蓋２、蓋ストッパ３および取出口４から成るボックスは完成品として提供し、これに予め、ピンホール８を加工しておくと共に、蓋２とスペーサ１２とを一体成型しておく。そして、カードポケット６のパーツと、押圧板７、ゴム１１およびゴムストッパ９の各パーツをセットとする。ただし、カードポケット６も、予め容器１と一体成型しておいてもよい。容器１や蓋２の外装に模様５を装飾するシールや、カードポケット６に挿入するカードは、使用者の好みで別途購入するようにするとよい。
【００５８】
その他、本考案は上記実施形態や変形例に限定されるものではない。例えば各部のデザインは様々に変更することが可能である。
【符号の説明】
【００５９】
１  容器
２  蓋
３  蓋ストッパ
４  取出口
５，１４  模様
６  カードポケット
７  押圧板
８  ピンホール
９  ゴムストッパ
１０，２０  ティッシュボックス
１１  ゴム
１２  スペーサ
１３  切り欠き
【図１】
0003171773.tif 000003
【図２】
0003171773.tif 000004
【図３】
0003171773.tif 000005
【図４】
0003171773.tif 000006
【図５】
0003171773.tif 000007
【図６】
0003171773.tif 000008